(57)【要約】      （修正有）【課題】収納・設置場所・作業空間等の自由度をより広く確保するテレビ／コンピューターモニターの映像を映し出す液晶画面本体ユニットを提供する。【解決手段】家庭用及び業務用テレビ／コンピューターモニターの映像を映し出す液晶薄型画面を、その液晶画面を納める箱型筐体から、電動式或いは手動式にて、ポップアップ式に飛出し、格納できるようにした。【選択図】図１
0003113304.tif 000002
【実用新案登録請求の範囲】
【請求項１】
主に家庭用（業務用）テレビ／コンピューターモニター等の映像を映し出す液晶薄型画面（ＬＣＤ・有機ＥＬ・プラズマ画面等、その他薄型画面）を、その液晶画面を納める箱型筐体等から、電動式或いは、手動式にて、ポップアップ（飛び出し）式に引き出し（或いは格納時に引き入れ）、その使用する機構及びその形態全般とする。（最適視認角度調整機能も含む）
【請求項２】
テレビ／モニター等の使用サイズは、主に家庭用サイズ（１５インチ・１７インチ）を中心として、小型（〜１５インチ以下）から、大型画面（１７インチ以上〜）のものまで、液晶画面のサイズに応じて全て網羅する。
【請求項３】
そのテレビ／モニターのチャンネル受信部・切替部（ワイヤレスリモコンも含む）、或いは関連するその他付随装置は、その筐体に一体式に含まれる場合と、単に、ポップアップ（飛び出し）する液晶画面を収納・駆動する機器一式を収めた単能式の場合の全てを含む。
【請求項４】
主なる使用用途としては、テレビ・ビデオ（ＤＶＤ等の同種も含まれる）・コンピューター用モニター・その他マルチメディア用の映像用液晶画面・セキュリティー監視カメラ用モニター、産業用コンピューターモニター、車載液晶画面等の映像表示装置の飛び出し・格納方式。
その他関連用途。
【考案の詳細な説明】
【技術分野】
【０００１】  本考案は、テレビ等の映像を映し出した液晶画面本体ユニットを、ポップアップ（飛出し）・格納するための新案技術に関する分野。
【背景技術】
【０００２】  主に家庭用（業務用）の液晶テレビ画面ユニット／コンピューターモニターユニット等については、一般的に単純なプラスチック等の材料の枠で、独立して存在していたのみである。
【考案の開示】
【考案が解決しようとする課題】
【０００３】  主に家庭用（業務用）の液晶テレビ画面ユニット／コンピューターモニターユニット等については、一般的に単純なプラスチック等の材料の枠で、独立して存在していたのみである。
これらの従前の方式だと、液晶テレビ／モニター等の大きさが限定してしまうので、設置・収納場所が限定されてしまい、狭い作業空間・設置場所に於いては、収納・設置場所・作業空間等の自由度が無くなってしまう。また、ばらばらであった他のＡＶ関連機器等との調和性も悪い。
また、液晶パネルのみをスタンド式に設置する場合は、据置の安定性も悪い。
或いは、セキュリティー監視用モニターの設置場所も限定される。
【課題を解決するための手段】
【０００４】  液晶画面ユニットと、それらに付随する機器を一体化して、必要に応じて、液晶テレビ画面ユニット／コンピューターモニターユニット等を母体の筐体からポップアップ（飛出し）して使用し、使用後は格納して、収納・設置場所・作業空間等の自由度をより広く確保する。
【考案の効果】
【０００５】  液晶テレビ画面ユニット／コンピューターモニターユニット等を母体の筐体からポップアップ（飛出し）して使用し、使用後は格納して、収納・設置場所・作業空間等の自由度をより広く確保すれば、今後は、各人各様で様々な関連機器の設置場所の自由度が広がる。
特に、ビデオ／ＤＶＤデッキ等の、マルチメディア関連機器のサイズは、各メーカーでサイズの細かな差異はあるが、現状では概ね、従前どおりの箱型で大体同じようなサイズである。
よって、このポップアップ（飛出し）式液晶テレビ／モニターを、ビデオデッキ等の機器本体に重ねて設置すれば、すっきりとマルチメディア関連機器が納まり、より自由空間を確保・演出出来る。また、ステレオレコード／ＣＤ／ＤＶＤレコーダー／カセットデッキ等のＡＶ機器と一緒に、従来の収納ラックに収められる。
また、この液晶画面ユニットを機器筐体に格納できるので、突然の思わぬ事故・災害に対して、液晶画面の損傷を防止出来る。
加えるに、スタンド単体式で設置するよりも、安定性も改善する。
【考案を実施するための最良の形態】
【０００６】  液晶テレビ画面ユニット／コンピューターモニターユニット等を格納出来る箱型筐体に、その他関連部品と共に装着する。
【実施例】
【０００７】  液晶テレビ画面ユニット／コンピューターモニター、単体型／複合型液晶テレビ画面ポップアップ（飛出し）ユニットとして、テレビ／コンピューターモニターとして使用する。この単体機能としては、他のビデオデッキ等の機器に乗せられて、付加出来る様にする。
複合機器としては、テレビチューナー、スピーカー、ワイヤレスリモコン等の必要関連部品も、同じ筐体に収める。
テレビ機能と同時に、コンピューター機器も同時に組み込めるので、それに必要な機器も合わせて組み込む場合もある。【０００８】  マルチメディア液晶モニター画面ユニット、単体型／複合型
ばらばらであった他のＡＶ機器等と組合せて設置すれば、すっきりとマルチメディア関連機器が納まり、より自由空間を確保・演出出来る。また、ステレオレコード／ＣＤ／ＤＶＤブレーヤー・カセットデッキ等のＡＶ機器と一緒に、従来の収納ラックに収められる。
前者機能に付加して、ＬＡＮケーブル等を接続して、インターネットより音楽をダウンロードして視聴する場合のモニター等で使用する場合にも対応する。【０００９】  セキュリティー用監視モニターユニット、単体型／複合型
多くの場合、映像記録機器としてビデオデッキが、接続・使用されるが、この場合においても、省スペースが実現される。【００１０】  産業用コンピューターモニターユニット、単体型／複合型
工場等で使用されるＦＡ用のモニターとして使用すれば、より大きく見やすい画面で使用でき、邪魔になれば格納できる。【００１１】  車載用モニターユニット、単体型／複合型
自動車持込用の機器として、例えばテレビ／ビデオ一体型機器としても使用可能である。
【産業上の利用可能性】
【図面の簡単な説明】
【００１２】
【図１】  「液晶パネルを引き出して使用する場合を示した正面図である。」
【図２】  「液晶パネルを引き出して使用する場合を示した側面図である。」
【図３】  「液晶パネルを格納する場合を示した正面図である。」
【図４】  「液晶パネルと関連機器を、一つの筐体に一体的に組み込んで格納する場合を示した正面図である。」
【図５】  「液晶パネルと、他のオーディオ機器を重ねて使用する場合を示した正面図である。」
【図６】  「液晶パネルと、監視用モニター切替機等、関連機器を格納する場合を示した正面図である。」
【図７】  「液晶パネルと、コンピューター関連機器を格納する場合を示した正面図である。」
【図１】
0003113304.tif 000003
【図２】
0003113304.tif 000004
【図３】
0003113304.tif 000005
【図４】
0003113304.tif 000006
【図５】
0003113304.tif 000007
【図６】
0003113304.tif 000008
【図７】
0003113304.tif 000009
【手続補正書】
【提出日】平成17年3月25日(2005.3.25)
【手続補正１】
【補正対象書類名】実用新案登録請求の範囲
【補正対象項目名】全文
【補正方法】変更
【補正の内容】
【実用新案登録請求の範囲】
【請求項１】
家庭用及び業務用テレビ／コンピューターモニターの映像を映し出す液晶薄型画面を、その液晶画面を納める箱型筐体から、電動式或いは手動式にて、ポップアップ式に飛出し、格納するポップアップ式機構形態。
【手続補正２】
【補正対象書類名】明細書
【補正対象項目名】全文
【補正方法】変更
【補正の内容】
【考案の詳細な説明】
【技術分野】
【０００１】  本考案は、テレビ／コンピューターモニターの映像を映し出す液晶画面本体ユニットを、ポップアップ式に飛出し、格納するための新案技術に関する分野。
【背景技術】
【０００２】  家庭用及び業務用の液晶テレビ画面ユニット／コンピューターモニターユニットについては、一般的に単純なプラスチック等の材料の枠で、独立して存在していたのみである。
【考案の開示】
【考案が解決しようとする課題】
【０００３】  家庭用及び業務用の液晶テレビ画面ユニット／コンピューターモニターユニットについては、一般的に単純なプラスチック等の材料の枠で、独立して存在していたのみである。
これらの従前の方式だと、液晶テレビ画面ユニット／コンピューターモニターユニットの大きさが限定されてしまうので、設置・収納場所が限定されてしまい、狭い作業空間・設置場所に於いては、収納・設置場所・作業空間等の自由度が無くなってしまう。また、ばらばらであった他のＡＶ関連機器等との調和性も悪い。また、液晶パネルのみをスタンド式に設置する場合は、据置の安定性も悪い。或いは、セキュリティー監視用モニターの設置場所なども限定される。
家庭用及び業務用の大きい液晶テレビ画面ユニット／コンピューターモニターユニットが、ポップアップ式に出来なかった要因としては、液晶モジュールユニットと、それの表示をコントロールするためのコントロール基板を接続する接続コードの長さを、電気的或いは物理的特性の為に、伸張し難かった。特に１５インチ程度以上の大きさの液晶画面では、ポップアップ式にすると、液晶画面自体の移動距離が必然的に長くなる為に、筐体内部に納めたコントロール基板との関係上難しかった。
【課題を解決するための手段】
【０００４】  家庭用及び業務用テレビ／コンピューターモニターの映像を映し出す液晶薄型画面を、その液晶画面を納める箱型筐体から、電動式或いは手動式にて、ポップアップ式に飛出し、格納するポップアップ式機構形態にて使用すれば、使用後は格納して、収納・設置場所・作業空間等の自由度をより広く確保する。
これらの従前の方式の課題は、液晶モジュールユニットと、それの表示をコントロールするためのコントロール基板を接続する接続コードの長さを、電気的或いは物理的特性の為に、伸張し難かった。特に１５インチ程度以上の大きさの液晶画面では、ポップアップ式にすると、液晶画面自体の移動距離が必然的に長くなる為に、筐体内部に納めたコントロール基板との関係上難しかった。
今回、この技術課題を解決した為に、１５インチ程度以上の大きさの液晶画面で、ポップアップ式テレビ／コンピューターモニターを製作出来るようになった。
【考案の効果】
【０００５】  液晶テレビ画面ユニット／コンピューターモニターユニットを収納箱型筐体からポップアップして使用し、使用後は格納して、収納・設置場所・作業空間等の自由度をより広く確保すれば、今後は、各人各様で様々な関連機器の設置場所の自由度が広がる。
特に、ビデオ／ＤＶＤデッキ等の、マルチメディア関連機器のサイズは、各メーカーでサイズの細かな差異はあるが、現状では概ね、従前どおりの箱型で大体同じようなサイズである。
よって、このポップアップ式液晶テレビ／コンピューターモニターを、ビデオデッキ等の機器本体に重ねて設置すれば、すっきりとマルチメディア関連機器が納まり、より自由空間を確保・演出出来る。また、ステレオレコード／ＣＤ／ＤＶＤレコーダー／カセットデッキ等のＡＶ機器と一緒に、従来の収納ラックに収められる。
また、この液晶画面ユニットを機器筐体に格納できるので、突然の思わぬ事故・災害に対して、液晶画面の損傷を防止出来る。加えるに、スタンド単体式で設置するよりも、安定性も改善する。
【考案を実施するための最良の形態】
【０００６】  液晶テレビ画面ユニット／コンピューターモニターユニット等を収納出来る箱型筐体に、その他関連部品と共に装着する。
【実施例】
【０００７】  液晶テレビ画面ユニット／コンピューターモニター、単体型／複合型液晶テレビ画面ポップアップ式ユニットとして、テレビ／コンピューターモニターとして使用する。この単体機能としては、他のビデオデッキ等の機器に乗せられて、付加出来る様にする。複合機器としては、テレビチューナー、スピーカー、ワイヤレスリモコン等の必要関連部品も、同じ筐体に収める。テレビ機能と同時に、コンピューター機器も同時に組み込めるので、それに必要な機器も合わせて組み込む場合もある。【０００８】  マルチメディア液晶モニター画面ユニット、単体型／複合型ばらばらであった他のＡＶ機器等と組合せて設置すれば、すっきりとマルチメディア関連機器が納まり、より自由空間を確保・演出出来る。また、ステレオレコード／ＣＤ／ＤＶＤブレーヤー・カセットデッキ等のＡＶ機器と一緒に、従来の収納ラックに収められる。
前者機能に付加して、ＬＡＮケーブル等を接続して、インターネットより音楽をダウンロードして視聴する場合のモニター等で使用する場合にも対応する。【０００９】  セキュリティー用監視モニターユニット、単体型／複合型として使用する。多くの場合、映像記録機器としてビデオデッキが、接続・使用されるが、この場合のモニターとして、省スペースが実現される。【００１０】  産業用コンピューターモニターユニット、単体型／複合型として使用する。現状では工場等で使用されるＦＡ用のモニターは、必要に応じて後付け使用されるが、一体式になればより大きく見やすい画面で使用でき、必要に応じて格納できる。【００１１】  車載用モニターユニット、単体型／複合型として使用する。自動車持込用の大型画面機器として、例えばテレビ／ビデオ一体型機器としても使用可能である。
【産業上の利用可能性】
【図面の簡単な説明】
【００１２】
【図１】  「本考案箱型筐体の液晶パネルを引き出して使用する場合を示した正面図である。」
【図２】  「本考案箱型筐体の液晶パネルを引き出して使用する場合を示した側面図である。」
【図３】  「本考案箱型筐体の液晶パネルを格納する場合を示した正面図である。」
【図４】  「本考案箱型筐体の液晶パネルを格納する場合を示した上面図である。」
【手続補正３】
【補正対象書類名】図面
【補正対象項目名】全文
【補正方法】変更
【補正の内容】
【書類名】  図面
【図１】
0003113304.tif 000010
【図２】
0003113304.tif 000011
【図３】
0003113304.tif 000012
【図４】
0003113304.tif 000013